(57)【特許請求の範囲】
【請求項１】
携帯端末装置において、
表示部と、
前記表示部を制御する表示制御部と、
相手先情報として、少なくとも相手先を示す氏名または名称に基づく情報と電話番号またはメールアドレスを関連付けて記憶する記憶部と、
当該携帯端末装置に対し所定の契機行為が行われたかを検出する検出部と、を備え、
前記表示制御部は、電話または電子メールの着信報知がなされると、前記表示部に、前記氏名または名称に基づく情報を表示せずに前記電話番号または前記メールアドレスを表示し、前記電話番号または前記メールアドレスを表示した後に前記検出部により前記契機行為が検出されたことに基づいて、前記電話番号または前記メールアドレスとともに、前記電話番号または前記メールアドレスに関連付けられた前記氏名または名称に基づく情報を、前記表示部に表示し、
さらに、前記表示制御部は、前記電話または前記電子メールの着信報知がなされたとき、着信した前記電話または前記電子メールの発信者の前記相手先情報が前記記憶部に記憶されていれば、前記契機行為の入力を促す情報を前記表示部に表示させ、前記発信者の前記相手先情報が前記記憶部に記憶されていなければ、前記契機行為の入力を促す情報を前記表示部に表示させない、
ことを特徴とする携帯端末装置。
【請求項２】
請求項１に記載の携帯端末装置において、
前記検出部は、前記契機行為を規定する認証情報と、前記着信報知時に前記携帯端末装置に取り込まれた情報との整合性とに基づいて、前記契機行為が行われたかを検出する、
ことを特徴とする携帯端末装置。
【請求項３】
請求項２に記載の携帯端末装置において、
前記検出部は、前記携帯端末装置に対する所定の操作を検出する操作検出部を備え、前記操作検出部による検出結果に基づいて前記認証情報を設定するとともに、前記着信報知時に前記操作検出部にて検出された検出結果と前記認証情報との整合性に基づいて、前記契機行為が行われたかを検出する、
ことを特徴とする携帯端末装置。
【請求項４】
請求項３に記載の携帯端末装置において、
前記操作検出部は、加速度センサを有し、
前記検出部は、前記携帯端末装置を所定のパターンで移動させたときの加速度情報に基づいて前記認証情報を設定するとともに、前記着信報知時に前記加速度センサにて検出した情報と前記認証情報との整合性に基づいて、前記契機行為が行われたかを検出する、
ことを特徴とする携帯端末装置。
【請求項５】
請求項２に記載の携帯端末装置において、
前記検出部は、撮像部を備え、当該撮像部で予め取得した画像に基づいて前記認証情報を設定するとともに、前記着信報知時に前記撮像部で取得した画像情報と前記認証情報との整合性に基づいて、前記契機行為が行われたかを検出する、
ことを特徴とする携帯端末装置。
【請求項６】
請求項１に記載の携帯端末装置において、
前記検出部は、前記携帯端末装置が移動されたかを検出する移動検出部を備え、前記着信報知時に、前記移動検出部により前記携帯端末装置が所定の方向に移動されたときに、前記契機行為が行われたことを検出する、
ことを特徴とする携帯端末装置。
【請求項７】
携帯端末装置において、
表示部と、
前記表示部を制御する表示制御部と、
相手先情報として、少なくとも相手先を示す氏名または名称に基づく情報と電話番号またはメールアドレスを関連付けて記憶する記憶部と、
当該携帯端末装置に対し所定の契機行為が行われたかを検出する検出部と、を備え、
前記表示制御部は、電話または電子メールの着信報知がなされると、前記表示部に、前記氏名または名称に基づく情報を表示せずに前記電話番号または前記メールアドレスを表示し、前記電話番号または前記メールアドレスを表示した後に前記検出部により前記契機行為が検出されたことに基づいて、前記電話番号または前記メールアドレスとともに、前記電話番号または前記メールアドレスに関連付けられた前記氏名または名称に基づく情報を、前記表示部に表示し、
前記記憶部は、前記相手先情報として、前記電話番号またはメールアドレス以外であって前記氏名または名称に基づく情報よりも個人情報性の低い情報を記憶し、
前記表示制御部は、前記着信報知の開始時から前記契機行為が検出されるまでの所定のタイミングにおいて、前記個人情報性の低い情報を、前記表示部に表示させる、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
携帯電話機には、電話帳（アドレス帳）の機能が搭載されている。かかる電話帳の機能は、ユーザによって予め登録された電話帳情報を、ユーザによる検索等の操作に基づいてメモリから読み出し、表示画面に表示させるものである。ここで、電話帳情報は、相手先の電話番号、メールアドレス、名前(氏名、名称）、住所等からなっている。
【０００３】
かかる携帯電話機の中には、電話や電子メールの着信があったとき、発信者の電話番号やメールアドレスが電話帳に登録されていれば、着信音を鳴らすとともに、表示画面に発信者の名前を表示するようにしたものもある（たとえば、特許文献１）。
【先行技術文献】
【特許文献】
【０００４】
【特許文献１】特開２００１−１３６２４７号公報
【発明の概要】
【発明が解決しようとする課題】
【０００５】
しかしながら、かかる携帯電話機では、ユーザの意に反して、表示画面に表示された発信者の名前等、個人情報が他人に見られてしまう惧れがある。着信報知の際に表示画面に発信者の名前が表示されないモードを設けることも考えられるが、このモードに設定されると、ユーザ本人も発信者の名前を確認できなくなり、利便性が低下してしまう。
【０００６】
本発明は、かかる課題に鑑みてなされたものであり、着信報知の際、個人情報が他人に見られるのを防止できるとともに、ユーザ本人が発信者を容易に確認できる携帯端末装置を提供することを目的とする。
【課題を解決するための手段】
【０００７】
本発明の携帯端末装置は、表示部と、前記表示部を制御する表示制御部と、相手先情報として、少なくとも相手先を示す氏名または名称に基づく情報と電話番号またはメールアドレスを関連付けて記憶する記憶部と、当該携帯端末装置に対し所定の契機行為が行われたかを検出する検出部とを備える。ここで、前記表示制御部は、電話または電子メールの着信報知がなされると、前記表示部に、前記氏名または名称に基づく情報を表示せずに前記電話番号または前記メールアドレスを表示し、前記電話番号または前記メールアドレスを表示した後に前記検出部により前記契機行為が検出されたことに基づいて、前記電話番号または前記メールアドレスとともに、前記電話番号または前記メールアドレスに関連付けられた前記氏名または名称に基づく情報を、前記表示部に表示する。さらに、前記表示制御部は、前記電話または前記電子メールの着信報知がなされたとき、着信した前記電話または前記電子メールの発信者の前記相手先情報が前記記憶部に記憶されていれば、前記契機行為の入力を促す情報を前記表示部に表示させ、前記発信者の前記相手先情報が前記記憶部に記憶されていなければ、前記契機行為の入力を促す情報を前記表示部に表示させない。
【０００８】
本発明の携帯端末装置によれば、着信報知の際、所定の契機行為が検出されなければ、氏名または名称に基づく情報が表示されない。よって、ユーザの意に反して、他人に氏名または名称に基づく情報が見られにくい。また、所定の契機行為が検出されれば、氏名または名称に基づく情報が表示される。よって、ユーザ本人は、契機行為を行うことにより、発信者を容易に確認することができる。
さらに、ユーザは、電話番号を覚えていなくても、発信者が記憶部に相手先情報が記憶されている人であり、氏名または名称に基づく情報を表示させるためには所定の契機行為の入力が必要であることを認識することができる。
【０００９】
なお、「氏名または名称に基づく情報」とは、氏名または名称そのものの他、氏名のうち氏または名のみ、あるいは、これらに敬称を付加したもの、氏名または名称の略称、ニックネームまたは愛称など、相手先を称呼により特定するものを広く含む。
【００１０】
本発明の携帯端末装置において、前記検出部は、前記契機行為を規定する認証情報と、前記着信報知時に前記携帯端末装置に取り込まれた情報との整合性とに基づいて、前記契機行為が行われたかを検出するよう構成され得る。
【００１１】
たとえば、前記検出部は、前記携帯端末装置に対する所定の操作を検出する操作検出部を備え、前記操作検出部よる検出結果に基づいて、前記認証情報を設定し、前記着信報知時に前記操作検出部にて検出された検出結果と前記認証情報との整合性に基づいて、前記契機行為が行われたかを検出するよう構成され得る。
【００１２】
前記操作検出部が加速度センサを有する場合、前記検出部は、前記携帯端末装置を所定のパターンで移動させたときの加速度情報に基づいて前記認証情報を設定するとともに、前記着信報知時に前記加速度センサにて検出した情報と前記認証情報との整合性に基づいて、前記契機行為が行われたかを検出するよう構成され得る。
【００１３】
この他、前記検出部は、撮像部を備え、当該撮像部で予め取得した画像に基づいて前記認証情報を設定するとともに、前記着信報知時に前記撮像部で取得した画像情報と前記認証情報との整合性に基づいて、前記契機行為が行われたかを検出するよう構成され得る。
【００１４】
このように、氏名または名称に基づく情報を表示するために認証が必要とされる構成とすれば、氏名または名称に基づく情報を他人に一層見られにくくすることができる。
【００１５】
本発明の携帯端末装置において、前記検出部は、前記携帯端末装置が移動されたかを検出する移動検出部を備え、前記着信報知時に、前記移動検出部により前記携帯端末装置が所定の方向に移動されたときに、前記契機行為が行われたことを検出するよう構成され得る。
【００１６】
このような構成とすれば、ユーザは、認証に必要な入力無しに、発信者を確認することができる。よって、発信者の確認が簡便に行われ得る。
【００１７】
本発明の携帯端末装置は、表示部と、前記表示部を制御する表示制御部と、相手先情報として、少なくとも相手先を示す氏名または名称に基づく情報と電話番号またはメールアドレスを関連付けて記憶する記憶部と、当該携帯端末装置に対し所定の契機行為が行われたかを検出する検出部と、を備える。ここで、前記表示制御部は、電話または電子メール
の着信報知がなされると、前記表示部に、前記氏名または名称に基づく情報を表示せずに前記電話番号または前記メールアドレスを表示し、前記電話番号または前記メールアドレスを表示した後に前記検出部により前記契機行為が検出されたことに基づいて、前記電話番号または前記メールアドレスとともに、前記電話番号または前記メールアドレスに関連付けられた前記氏名または名称に基づく情報を、前記表示部に表示する。さらに、前記記憶部は、前記相手先情報として、前記電話番号またはメールアドレス以外であって前記氏名または名称に基づく情報よりも個人情報性の低い情報を記憶する。前記表示制御部は、前記着信報知の開始時から前記契機行為が検出されるまでの所定のタイミングにおいて、前記個人情報性の低い情報を、前記表示部に表示させる。
【００１８】
本発明によれば、ユーザの意に反して、他人に氏名または名称に基づく情報が見られにくく、ユーザ本人は、発信者を容易に確認することができる。さらに、氏名または名称に基づく情報が表示される前に、ユーザは、発信者に関するおおよその情報を得ることができ、利便性が向上する。
【発明の効果】
【００２１】
本発明によれば、着信報知の際、個人情報が他人に見られるのを防止できるとともに、ユーザ本人が発信者を容易に確認できる携帯端末装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係る携帯電話機の外観構成を示す図である。
【図２】実施の形態に係る携帯電話機の全体構成を示すブロック図である。
【図３】実施の形態に係る電話帳テーブルを示す図である。
【図４】実施の形態に係る表示許可の決定処理のための機能ブロック図である。
【図５】実施の形態に係る表示制御処理および表示許可の決定処理のフローチャートである。
【図６】実施の形態に係る着信報知時の表示画面を示す図である。
【図７】変更例１に係る表示許可の決定処理のための機能ブロック図である。
【図８】変更例１、２に係る表示許可の決定処理のフローチャートである。
【図９】変更例３に係る着信報知時（表示許可前）の表示画面を示す図である。
【発明を実施するための形態】
【００２４】
以下、本発明の実施の形態について、図面を参照して説明する。図１は携帯電話機の外観構成を示す図である。同図（ａ）は、第２キャビネットが開放した状態の携帯電話機の正面図であり、同図（ｂ）は同じ状態での側面図である。同図（ｃ）は同図（ｂ）のＡ−Ａ´断面図である。
【００２５】
携帯電話機は、第１キャビネット１と第２キャビネット２を備えている。第１キャビネット１には、キー入力部３が配されている。キー入力部３は、機器への各種の操作入力を検出する。
【００２６】
第１キャビネット１の上面には、キー入力部３を構成する操作キー群３ａが配されている。操作キー群３ａは、４個の起動キー３１と、方向キー３２と、決定キー３３と、通話キー３４と、終話キー３５と、１２個のテンキー３６と、クリアキー３７とを備えている。
【００２７】
起動キー３１は、主に、電子メール機能、電話帳機能、ウェブ機能などの特定のアプリケーションを起動する際に操作される。方向キー３２は、主に、表示画面に表示された各種メニューから所望のメニューを選択する際に操作される。決定キー３３は、主に、選択されたメニューに決定する際に操作される。通話キー３４は、主に、通話を開始する際に操作され、終話キー３５は、主に、通話を終了する際に操作される。テンキー３６は、主に、文字（ひらがな、カタカナ、アルファベット）や数字、記号の入力を行う際に操作される。クリアキー３７は、主に、入力した文字等を消去する際に操作される。なお、テンキー３４の一部の機能を、ＱＷＥＲＴＹキー等で実現するような構成としてもよい。
【００２８】
第１キャビネット１の内部には、アウトカメラ１１が配されている。アウトカメラ１１は、たとえば、数百万画素のカメラモジュールである。アウトカメラ１１のレンズ窓（図示せず）は、第１キャビネット１の背面に臨んでおり、このレンズ窓から被写体の像がアウトカメラ１１に取り込まれる。
【００２９】
また、第１キャビネット１の内部には、加速度センサ１２が配されている。加速度センサ１２は、３軸加速度センサであり、図示のＸ軸方向、Ｙ軸方向およびＺ軸方向の３方向に生じる加速度を検出するように配されている。
【００３０】
第２キャビネット２にはディスプレイ２１が配されている。ディスプレイ２１は、後述のように液晶パネル２１ａと液晶パネル２１ａを照明するパネルバックライト２１ｂにより構成されている。なお、ディスプレイ２１は、有機ＥＬ等他の表示素子により構成されてもよい。
【００３１】
ディスプレイ２１の表示画面側には、タッチセンサ２２が配されている。タッチセンサ２２は透明なシート状を有しており、タッチセンサ２２を透してディスプレイ２１の表示画面を見ることができる。
【００３２】
タッチセンサ２２は、マトリクス状に配された第１透明電極と第２透明電極とを備えている。タッチセンサ２２は、これら透明電極間の静電容量の変化を検出することによって、ユーザに触られた表示画面上の位置を検出し、その位置に応じた位置信号を出力する。なお、タッチセンサ２２は、静電容量式のタッチセンサに限られず、抵抗膜方式、感圧式等のタッチセンサであってもよい。
【００３３】
第２キャビネット２の内部には、インカメラ２３が配されている。インカメラ２３は、アウトカメラ１１に比べて低画素、たとえば、数十万画素のカメラモジュールである。インカメラ２３のレンズ窓２３ａは、第２キャビネット２の正面に臨んでおり、このレンズ窓から被写体の像がインカメラ２３に取り込まれる。
【００３４】
アウトカメラ１１は、カメラモードにおいて、通常の写真撮影に用いられる。一方、インカメラ２３は、主に、テレビ電話において通話を行う際、ユーザ（通話者）の画像を撮影するために用いられる。
【００３５】
第２キャビネット２は、スライド機構部４によって、第１キャビネット１に対し図１のＸ軸方向にスライド可能に連結されている。図１（ｃ）に示すように、スライド機構部４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００３６】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００３７】
全てのキーが隠れた状態において、携帯電話機への操作入力は、タッチパネル２２により行うことができる。このとき、ディスプレイ２１の表示画面上には、所定の位置にソフトキーの画像が表示される。
【００３８】
なお、第２キャビネット２が完全に閉じても外部から操作可能な位置、たとえば、第１キャビネット１の側面に、操作キー群３ａとは別の操作キーを設けることもできる。こうすれば、第２キャビネット２が完全に閉じていても、このような操作キーを用いて所望の操作を行うことが可能となる。
【００３９】
図２は、携帯電話機の全体構成を示すブロック図である。本実施の形態の携帯電話機は、上述した各構成要素の他、ＣＰＵ１００、メモリ２００、映像エンコーダ３０１、３０２、マイク３０３、音声エンコーダ３０４、キー入力回路３０５、通信モジュール３０６、バックライト駆動回路３０７、キーバックライト３０８、映像デコーダ３０９、音声デコーダ３１０、通話スピーカ３１１、外部スピーカ３１２を備えている。
【００４０】
アウトカメラ１１はＣＣＤ等の撮像素子を有する。アウトカメラ１１は、撮像素子から出力された撮像信号をデジタル化し、その撮像信号にガンマ補正等の各種補正を施して映像エンコーダ３０１へ出力する。映像エンコーダ３０１は、アウトカメラ１１からの撮像信号にエンコード処理を施してＣＰＵ１００へ出力する。
【００４１】
インカメラ２３はＣＣＤ等の撮像素子を有する。インカメラ２３は、撮像素子から出力された撮像信号をデジタル化し、その撮像信号にガンマ補正等の各種補正を施して映像エンコーダ３０２へ出力する。映像エンコーダ３０２は、インカメラ２３からの撮像信号にエンコード処理を施してＣＰＵ１００へ出力する。
【００４２】
マイク３０３は、集音した音声を音声信号に変換して音声エンコーダ３０４へ出力する。音声エンコーダ３０４は、マイク３０３からのアナログの音声信号をデジタルの音声信号に変換するとともに、デジタルの音声信号にエンコード処理を施してＣＰＵ１００へ出力する。
【００４３】
キー入力回路３０５は、操作キー群３ａの各キーが操作されたときに、各キーに応じた入力信号をＣＰＵ１００へ出力する。
【００４４】
通信モジュール３０６は、ＣＰＵ１００からの音声信号や画像信号、テキスト信号などを無線信号に変換し、アンテナ３０６ａを介して基地局へ送信する。また、アンテナ３０６ａを介して受信した無線信号を音声信号や画像信号、テキスト信号などに変換してＣＰＵ１００へ出力する。
【００４５】
バックライト駆動回路３０７は、ＣＰＵ１００からの制御信号に応じた電圧信号をキーバックライト３０８およびパネルバックライト２１ｂに供給する。キーバックライト３０８は、バックライト駆動回路３０７からの電圧信号により点灯し、操作キー群３ａの個々のキーを照明する。パネルバックライト２１ｂは、バックライト駆動回路３０７からの電圧信号により点灯し、液晶パネル２１ａを照明する。
【００４６】
映像デコーダ３０９は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示画面上に表示する。
【００４７】
音声デコーダ３１０は、ＣＰＵ１００からの音声信号にデコード処理を施し、さらにアナログの音声信号に変換して通話スピーカ３１１に出力する。また、音声デコーダ３１０は、ＣＰＵ１００からの着信音、アラーム音等の各種報知音の音信号にデコード処理を施し、さらにアナログの音信号に変換して外部スピーカ３１２へ出力する。通話スピーカ３１１は、音声デコーダ３１０からの音声信号を音声として再生する。外部スピーカ３１２は、音声デコーダ３１０からの着信音等を再生する。
【００４８】
メモリ２００は、ＲＯＭおよびＲＡＭを含む。メモリ２００には、ＣＰＵ１００に制御機能を付与するための制御プログラムが記憶されている。また、メモリ２００には、アウトカメラ１１で撮影した画像データや通信モジュール３０６を介して外部から取り込んだ画像データ、テキストデータ（メールデータ）などが所定のファイル形式で保存される。
【００４９】
さらに、メモリ２００には、電話帳テーブル２０１が記憶されている。図３に示すように、電話帳テーブル２０１には、相手先の名前（氏名、名称、愛称、ニックネーム等）、電話番号、メールアドレス、相手先の属するグループ名等の電話帳情報が登録されている。グループ名として、「会社」、「友人」、「家族」などの名称が用意されている。たとえば、相手がユーザと同じ会社の人であれば、グループ名の欄に「会社」と登録される。これら電話帳情報は、三桁の登録番号に対応付けられている。
【００５０】
ＣＰＵ１００は、キー入力回路３０５およびタッチセンサ２２からの操作入力信号に基づき、制御プログラムに従って、アウトカメラ１１、インカメラ２３、マイク３０３、通信モジュール３０６、液晶パネル２１ａ、通話スピーカ３１１、外部スピーカ３１２等を動作させる。これにより、通話機能、電子メール機能等の各種機能（アプリケーション）を実行する。
【００５１】
ＣＰＵ１００は、表示制御部１０１を備えている。表示制御部１０１は、ＣＰＵ１００によって実行されるソフトウェアの機能として実現される。表示制御部１０１は、
電話や電子メールの着信があると、着信報知がなされている際に、相手先情報として発信者の名前をディスプレイ２１に表示する。かかる表示は、ユーザが認証を行うことにより、表示制御部１０１に表示許可が与えられたときに行われる。
【００５２】
図４は、表示許可の決定処理のために備えられた機能ブロックを示す。
【００５３】
ＣＰＵ１００は、パターン抽出部１０２と、マッチング判定部１０３と、表示許可部１０４とを備えている。メモリ２００は、パターン登録部２０２を備えている。パターン抽出部１０２、マッチング判定部１０３および表示許可部１０４は、ＣＰＵ１００によって実行されるソフトウェアの機能として実現される。また、パターン登録部２０２には、メモリ２００の一部の記憶領域が割り当てられる。
【００５４】
パターン抽出部１０２には、加速度センサ１２から加速度データが入力される。パターン抽出部１０２は、ユーザが携帯電話機を特定パターンで動かす操作をしたとき、その操作における加速度データの変化パターンを抽出する。たとえば、ユーザが携帯電話機を持って空中に星や四角形等の図形を描いた場合、パターン抽出部１０２は、ユーザが図形を描き始めてから描き終わるまでの加速度データの変化パターン（以下、「加速度パターン」という）を抽出する。そして、パターン抽出部１０２は、認証用データを予め登録するための登録モードであれば、抽出した加速度パターンをパターン登録部２０２へ出力する。一方、パターン抽出部２０２は、電話または電子メールの着信報知時であれば、抽出した加速度パターンをマッチング判定部１０３へ出力する。
【００５５】
パターン登録部２０２は、パターン抽出部１０２から送られてきた加速度パターンを、認証用データとして記憶する。
【００５６】
マッチング判定部１０３は、パターン抽出部１０２から送られてきた加速度パターンと、パターン登録部２０２に登録されている加速度パターンとを照合し、双方の加速度パターンのマッチング率（適合率）を算出する。そして、算出したマッチング率を表示許可部１０４へ出力する。
【００５７】
表示許可部１０４は、マッチング判定部１０３から送られてきたマッチング率を、予め設定された閾値と比較することにより、表示可否を決定する。
【００５８】
次に、表示制御部１０１により実行される着信報知時の表示制御処理について詳細に説明する。図５（ａ）は、表示制御処理のフローチャートである。図６は、表示制御処理に基づくディスプレイ２１の画面表示例を示す。
【００５９】
電話または電子メールの着信があると、外部スピーカ３１２からアラーム音や音楽により着信報知がなされる。
【００６０】
表示制御部１０１は、電話（電子メール）の着信があると（Ｓ１：ＹＥＳ）、受信した電話番号（電子メールの場合、メールアドレス）が電話帳テーブル２０１に登録されているか否かを判定する（Ｓ２）。
【００６１】
表示制御部１０１は、電話番号（メールアドレス）が電話帳テーブル２０１に登録されていれば（Ｓ２：ＹＥＳ）、着信中である旨と受信した電話番号（メールアドレス）をディスプレイ２１に表示させる（Ｓ３：図６（ａ）参照）。このとき、発信者の名前は、ディスプレイ２１に表示されない。
【００６２】
次に、表示制御部１０１は、表示許可部１０４より表示許可が与えられたか否を判定する。表示制御部１０１は、表示許可がなければ（Ｓ４：ＮＯ）、発信者の名前をディスプレイ２１に表示しないままの状態とする。これにより、携帯電話がユーザから離れたところに置かれていても、他人に発信者の名前を見られることがない。
【００６３】
表示許可は、後述するユーザの認証操作に基づいて、表示許可部１０４から出力される。ユーザは、着信報知に気づくと、携帯電話機に対して認証操作を行う。
【００６４】
表示制御部１０１は、表示許可が得られれば（Ｓ４：ＹＥＳ）、電話番号（メールアドレス）に対応する発信者の名前を電話帳テーブル２０１から読み出す。そして、読み出した名前を、着信中である旨の表示および受信した電話番号（メールアドレス）とともに、ディスプレイ２１に表示させる（Ｓ５：図６（ｂ）参照）。これにより、ユーザは、発信者が誰であるかを確認することができる。
【００６５】
電話の場合、ユーザが通話キー３４を押すと通話状態となり、着信動作が停止する。電子メールの場合、メールの受信が完了すると着信動作が終了する。これに伴い、着信報知も停止する。
【００６６】
表示制御部１０１は、着信動作が停止したと判定すると（Ｓ６：ＹＥＳ）、電話または電子メールに応じた画面表示に表示を切り替え（Ｓ７）、処理を終了する。
【００６７】
なお、電話帳テーブル２０１に登録がない相手からの電話（電子メール）である場合、表示制御部１０１は、ステップＳ２において、電話帳テーブル２０１に登録がないと判定する。この場合、表示制御部１０１は、登録がない場合に対応した表示情報をディスプレイ２１に表示させる。たとえば、図６（ｃ）に示すように、電話番号（メールアドレス）が通知されていれば、着信中である旨と受信した電話番号（メールアドレス）がディスプレイ２１に表示される。また、電話番号（メールアドレス）が通知されていなければ、着信中である旨と非通知である旨がディスプレイ２１に表示される。こうして、表示制御部１０１は、着信動作が停止すれば（Ｓ９：ＹＥＳ）、電話または電子メールに応じた画面表示に表示を切り替え（Ｓ７）、処理を終了する。
【００６８】
次に、表示許可部１０４により実行される表示許可の決定処理について詳細に説明する。図５（ｂ）は、表示許可の決定処理のフローチャートである。
【００６９】
表示許可部１０４は、電話（電子メール）の着信があると（Ｓ１１：ＹＥＳ）、加速度センサ１２を起動する（Ｓ１２）。携帯電話機を動かす操作がなされると、上述したようにマッチング判定部１０３からマッチング率が出力される。
【００７０】
表示許可部１０４は、マッチング率を取得すると（Ｓ１３）、取得したマッチング率を所定の閾値と比較する（Ｓ１４）。このとき、表示許可部１０４は、マッチング率が閾値を超えていなければ（Ｓ１４：ＮＯ）、他人が携帯電話機を動かした可能性があるため、表示許可を表示制御部１０１に与えない（Ｓ１５）。
【００７１】
一方、表示許可部１０４は、マッチング率が閾値を超えていれば（Ｓ１４：ＹＥＳ）、ユーザ本人が認証操作を行ったと考えられるため、表示許可を表示制御部１０１に与える（Ｓ１７）。
【００７２】
こうして、表示許可部１０４は、表示制御部１０１に表示許可を与えると、処理を終了する。また、表示許可部１０４は、表示許可を与えられないまま、着信動作が終了したときも（Ｓ１６：ＹＥＳ）、処理を終了する。
【００７３】
以上、説明したとおり、本実施の形態によれば、電話や電子メールの着信報知の際、ユーザによる認証が得られなければ、発信者の名前をディスプレイ２１に表示しない。よって、携帯電話機がユーザから離れたところに置かれた状態で着信があっても、発信者の名前を他人に見られるのを防止できる。しかも、ユーザ本人は、認証操作を行うことにより、容易に発信者の名前を確認することができる。
【００７４】
特に、本実施の形態によれば、認証が必要であるため、容易に表示許可がなされることがなく、発信者の名前が他人に見られるのを一層防止することができる。
【００７５】
＜変更例１＞
上記実施の形態では、携帯電話機を動かす操作に基づいて認証が行われ、表示許可が行われる構成とされている。しかしながら、認証のための構成として他の構成を用いることもできる。たとえば、本変更例のように、インカメラ２３で捉えたユーザの顔画像を用いて認証を行う構成とすることができる。
【００７６】
図７は、本変更例に係る表示許可の決定処理のために備えられた機能ブロックを示す。
【００７７】
ＣＰＵ１００は、顔抽出部１１１と、顔パラメータ抽出部１１２と、登録制御部１１３と、マッチング判定部１１４と、表示許可部１１５とを備えている。メモリ２００は、顔登録部２１１を備えている。
【００７８】
顔抽出部１１１、顔パラメータ抽出部１１２、登録制御部１１３、マッチング判定部１１４および表示許可部１１５は、ＣＰＵ１００によって実行されるソフトウェアの機能として実現される。また、顔登録部２１１には、メモリ２００の一部の記憶領域が割り当てられる。
【００７９】
インカメラ２３から出力された画像データは、映像エンコーダ３０２を介してＣＰＵ１００に入力される。この画像データが顔抽出部１１１や顔パラメータ抽出部１１２によって取得される。
【００８０】
顔抽出部１１１は、１コマ毎あるいは数コマ毎に、１画面分（１フレーム分）の画像データを取得し、この画像データを基にその画像の中に含まれる顔画像の領域（顔領域）を抽出する。たとえば、顔抽出部１１１は、画像中の肌色を検出し、さらに、目、鼻、口などの特徴部分を画像の濃淡等に基づいて検出することにより、顔領域の抽出を行う。そして、顔領域を特定するための情報、たとえば顔の輪郭の位置情報（以下、「顔領域情報」という）を顔パラメータ抽出部１１２に出力する。なお、通常、インカメラ２３には、認証を受けるユーザの顔のみが写されるので、顔抽出部１１１は、１画面中に１つの顔領域を抽出することとなる。
【００８１】
顔パラメータ抽出部１１２は、顔抽出部１１１と同じタイミングで、１画面分の画像データを取得し、顔抽出部１１１から送られてきた顔領域情報を基に、顔領域に対応する画像データから、その顔画像を特徴づけるためのパラメータを抽出する。たとえば、パラメータには、目、鼻、口などの各パーツの形状、各パーツ間の間隔の比率、肌の色等が挙げられる。
【００８２】
このように、顔パラメータ抽出部１１２は、顔抽出部１１１により抽出された顔領域について顔画像のパラメータを抽出し、マッチング判定部１１４へ出力する。
【００８３】
マッチング判定部１１４は、送られてきた顔画像のパラメータと、顔登録部２１１に登録されている顔画像のパラメータとを照合し、登録され顔画像とのマッチング率（適合率）を算出する。そして、算出したマッチング率を表示許可部１１５に出力する。
【００８４】
顔登録部２１１への顔画像のパラメータの登録は、登録制御部１１３により行われる。登録制御部１１３は、ユーザにより登録操作の入力がなされると、顔パラメータ抽出部１１２に対し、顔登録部２１１へパラメータを送るよう指示する。顔パラメータ抽出部１１２は、この指示を受けて、そのときに抽出した顔画像のパラメータを顔登録部２１１へ送る。このようにして、顔登録部２１１に顔画像のパラメータが登録される。
【００８５】
表示許可部１１５は、マッチング判定部１１４から送られてきたマッチング率を、予め設定された閾値と比較することにより、表示可否を決定する。
【００８６】
次に、本変更例に係る表示許可の決定処理について詳細に説明する。図８（ａ）は、本変更例に係る表示許可の決定処理のフローチャートである。
【００８７】
表示許可部１１５は、電話（電子メール）の着信があると（Ｓ２１：ＹＥＳ）、インカメラ２３を起動する（Ｓ２２）。ユーザがインカメラ２３の前に顔を出すと、インカメラ２３によりユーザの顔が写され、上述したようにマッチング判定部１１４からマッチング率が出力される。
【００８８】
表示許可部１１５は、マッチング率を取得すると（Ｓ２３）、取得したマッチング率を所定の閾値と比較する（Ｓ２４）。このとき、表示許可部１１５は、マッチング率が閾値を超えていなければ（Ｓ２４：ＮＯ）、他人の顔がインカメラ２３に写った可能性があるため、表示許可を表示制御部１０１に与えない（Ｓ２５）。
【００８９】
一方、表示許可部１１５は、マッチング率が閾値を超えていれば（Ｓ２４：ＹＥＳ）、ユーザ本人がインカメラ２３に写った、即ちユーザ本人より認証行為が行われたと考えられるため、表示許可を表示制御部１０１に与える（Ｓ２７）。
【００９０】
こうして、表示許可部１１５は、表示制御部１０１に表示許可を与えると、処理を終了する。また、表示許可部１１５は、表示許可が与えられないまま、着信動作が終了したときも（Ｓ２６：ＹＥＳ）、処理を終了する。
【００９１】
以上、変更例１の構成とすれば、ユーザがインカメラ２３の前に顔を出す、即ち、ディスプレイ２１を覗き込むだけで認証が行えるため、ユーザが容易に認証行為を行うことができる。
【００９２】
＜変更例２＞
上記実施の形態および変更例１では、予め設定された認証データとの間で認証が行われることにより、表示許可が与えられる構成とされている。しかしながら、本変更例のように、表示許可を得るために認証が行われない構成とすることもできる。
【００９３】
本変更例では、図４に示す構成において、パターン抽出部１０２、マッチング判定部１０３およびパターン登録部２０２、即ち認証に係る構成が削除される。そして、表示許可部１０４に、加速度センサ１２からの加速度データが直接入力される。
【００９４】
次に、本変更例に係る表示許可の決定処理について詳細に説明する。図８（ｂ）は、本変更例に係る表示許可の決定処理のフローチャートである。
【００９５】
表示許可部１０４は、電話（電子メール）の着信があると（Ｓ３１：ＹＥＳ）、加速度センサ１２を起動する（Ｓ３２）。ユーザが携帯電話機を持ち上げると、それに対応する加速度データが表示許可部１０４に入力される。
【００９６】
表示許可部１０４は、入力された加速度データから携帯電話機が持ち上げられたと判定すると（Ｓ３３：ＹＥＳ）、表示許可を表示制御部１０１に与える（Ｓ３６）。  こうして、表示許可部１０４は、表示制御部１０１に表示許可を与えると、処理を終了する。また、表示許可部１０４は、携帯電話機が持ち上げられず（Ｓ３３：ＮＯ）、表示許可を与えないまま（Ｓ３４）、着信動作が終了したときも（Ｓ３５：ＹＥＳ）、処理を終了する。
【００９７】
以上、変更例２のような構成とすれば、認証行為が不要であるため、ユーザの行為により表示許可がなされやすくなる。よって、ユーザは発信者の名前を一層容易に確認することができる。
【００９８】
なお、上記のように携帯電話機を持ち上げる動作が判定される構成に限らず、携帯電話機を振る動作など、携帯電話機の他の動きが判定されて表示許可が出力される構成とすることもできる。
【００９９】
請求項６に記載の「移動検出部」には、本変更例における加速度センサ１２と表示許可部１０４が対応する。本変更例では、加速度センサ１２により、閾値を越える鉛直上向きの加速度が検出されたときに、携帯電話機が持ち上げられた（所定の方向に移動された）と判断され、氏名または名称に基づく情報を表示するための契機行為が行われたことが検出される。また、携帯電話機を振る動作で許可判定を行う場合には、加速度センサに１２より、振る動作による加速度の情報、即ち、方向が反転する加速度が検出されたときに、携帯電話機が振られた（所定の方向に移動された）と判断され、氏名または名称に基づく情報を表示するための契機行為が行われたことが検出される。
【０１００】
＜変更例３＞
上記実施の形態では、図５（ａ）のステップＳ３の処理において、表示制御部１０１が、図６（ａ）に示すような、着信中の表示および電話番号（メールアドレス）の表示をディスプレイ２１に行うよう構成されている。しかしながら、このような表示に限らず、図９に示すような、種々の表示が可能である。
【０１０１】
たとえば、表示制御部１０１は、図９（ａ）に示すように、電話番号（メールアドレス）を表示させず、着信中である旨のみディスプレイ２１に表示させてもよい。また、図９（ｂ）に示すように、ディスプレイ２１に着信に係る情報を何も表示させないようにしてもよい。
【０１０２】
一方、表示制御部１０１は、図９（ｃ）に示すように、発信者の名前ではなく、発信者が属するグループ名をディスプレイ２１に表示させるようにしてもよい。グループ名は、発信者に係る情報であるが個人情報性は名前に比べて低いため、他人に知られても構わない場合も有り得る。
【０１０３】
このようにすれば、ユーザは、認証操作等を行わなくても、おおよその発信者に係る情報を得ることができる。
【０１０４】
さらに、表示制御部１０１は、図９（ｄ）に示すように、認証のための入力を促す特定のマークをディスプレイ２１に表示させるようにしてもよい。このマークは、発信者が電話帳に登録されていない人である場合には表示されず、発信者が電話帳に登録されている人である場合にのみ表示される。このようにすれば、ユーザは、電話番号を覚えていなくても、発信者が電話帳テーブル２０１に登録されている人であることを認識できる。さらに、ユーザは、発信者の名前を表示するには認証が必要である（表示許可が必要である）ことを認識できる。
【０１０５】
＜その他＞
上記実施の形態および変更例に示す形態以外にも、さらに種々変更が可能である。たとえば、上記実施の形態と同様、携帯電話機に対するユーザの特定操作に基づいて認証を行う構成として、キー入力回路３０５からのキー入力に基づいて認証を行う構成とすることもできる。この場合、図５の構成において、パターン抽出部１０２には、キー入力データが入力される。また、登録モードにおいて、数桁の暗証番号等、キー入力パターンがパターン登録部２０２に登録される。マッチング判定部１０３は、パターン抽出部１０２からのキー入力パターンと登録されたキー入力パターンのマッチングを行う。そして、表示許可部１０４は、そのマッチング率に基づいて表示許可を行う。
【０１０６】
また、タッチセンサ２２からの入力に基づいて認証を行う構成とすることもできる。この場合、図５の構成において、パターン抽出部１０２には、タッチセンサ２２による検出データが入力される。また、登録モードにおいて、ユーザによってタッチセンサ２２に図形や文字が描かれると、それに対応する描画パターン（以下、「認証描画パターン」という）がパターン抽出部１０２によって抽出され、パターン登録部２０２に登録される。着信報知の際、パターン抽出部１０２は、タッチセンサ２２による検出データに基づいて描画パターンを抽出し、マッチング判定部１０３に出力する。マッチング判定部１０３は、パターン抽出部１０２から入力された描画パターンと登録された認証描画パターンのマッチングを行う。そして、表示許可部１０４は、そのマッチング率に基づいて表示許可を行う。
【０１０７】
さらに、変更例１では、顔画像を用いて認証を行う構成としたが、人の他の体の一部、たとえば、手の画像（手の作る形の画像）等を用いて認証を行うようにしてもよい。また、変更例１と同様、人の体の一部を用いて認証を行う構成として、目による認証（虹彩認証）や指紋による認証を行う構成を採用することもできる。この場合、本発明の検出部として、虹彩認証を行う認証装置や指紋認証を行う認証装置が設けられる。
【０１０８】
さらに、上記実施の形態では、表示許可部１０４から表示許可が与えられると、表示制御部１０１は、ディスプレイ２１に発信者の名前（氏名または名称に基づく情報）を表示させるようにしている。しかし、これに限らず、表示許可部１０４から表示許可が与えられると、発信者の名前とともに、個人情報となる相手先情報として、発信者の住所や発信者の顔画像等の情報が表示されてもよい。この場合、電話帳テーブル２０１には、予め発信者の住所や顔画像等の情報が登録されている必要がある。
【０１０９】
さらに、上記実施の形態では、いわゆるスライド式の携帯電話機に本発明が適用されている。しかしながら、これに限らず、いわゆる折り畳み式の携帯電話機に本発明が適用されてもよい。折り畳み式の携帯電話機では、一般に、メインディスプレイの他に折り畳み状態で外側となる部位にサブディスプレイが設けられている。よって、携帯電話機が開いている場合には、認証または持ち上げ動作に応じて、発信者の名前（氏名または名称に基づく情報）がメインディスプレイに表示され、携帯電話機が閉じられている場合には、認証または持ち上げ動作に応じて、発信者の名前がサブディスプレイに表示される構成とすることが望ましい。また、変更例１のようにカメラで写した顔画像を用いて認証を行う場合には、メインディスプレイと同じ面にインカメラが設けられ、サブディスプレイと同じ面にアウトカメラが設けられることが望ましい。
【０１１０】
さらに、本発明の携帯端末装置は、携帯電話機に限られず、ＰＤＡ（Personal Digital Assistant）等であってもよい。
【０１１１】
この他、本発明の実施の形態は、特許請求の範囲に示された技術的思想の範囲内において、適宜、種々の変更が可能である。
【符号の説明】
【０１１２】
１２    加速度センサ（検出部、操作検出部、移動検出部）
２１    ディスプレイ（表示部）
２３    インカメラ（検出部、撮像部）
２２    タッチセンサ（検出部、操作検出部）
１０１  表示制御部
１０２  パターン抽出部（検出部）
１０３、１１４  マッチング判定部（検出部）
１０４、１１５  表示許可部（検出部、移動検出部）
１１１  顔抽出部（検出部）
１１２  顔パラメータ抽出部（検出部）
１１３  登録制御部（検出部）
２０２  パターン登録部（検出部）
２１１  顔登録部（検出部）
３０５  キー入力回路（検出部、操作検出部）
【図１】
0005576074.tif 000002
【図２】
0005576074.tif 000003
【図３】
0005576074.tif 000004
【図４】
0005576074.tif 000005
【図５】
0005576074.tif 000006
【図６】
0005576074.tif 000007
【図７】
0005576074.tif 000008
【図８】
0005576074.tif 000009
【図９】
0005576074.tif 000010